【手続補正書】
【提出日】平成26年10月21日(2014.10.21)
【手続補正１】
【補正対象書類名】特許請求の範囲
【補正対象項目名】全文
【補正方法】変更
【補正の内容】
【特許請求の範囲】
【請求項１】
情報端末と通信を行う通信部と、
前記通信部を介して前記情報端末から受信した画像データを画像記憶領域に記憶する表示バッファと、
頭部姿勢情報を取得する情報取得部と、
前記表示バッファの前記画像記憶領域に表示領域を設定する処理部と、
設定された前記表示領域の画像を表示画像として表示する表示部と、
を含み、
制御モードが第１モードに設定された場合には、
前記通信部は、
前記頭部姿勢情報を前記情報端末に送信し、
前記制御モードが第２モードに設定された場合には、
前記通信部は、
前記第２モードの処理が開始された後は、前記頭部姿勢情報を前記情報端末に送信せず、
前記処理部は、
前記頭部姿勢情報に基づいて、前記表示バッファの前記画像記憶領域に前記表示領域を設定することを特徴とする頭部装着型表示装置。
【請求項２】
請求項１において、
前記通信部は、
前記制御モードが前記第２モードに設定された場合には、前記第２モードの処理が開始される前に、前記情報端末から表示レイアウトデータと前記画像データとを受信し、
前記表示バッファは、
前記表示レイアウトデータにより設定された前記画像記憶領域に前記画像データを記憶し、
前記処理部は、
前記頭部姿勢情報に基づいて、前記画像記憶領域に前記表示領域を設定することを特徴とする頭部装着型表示装置。
【請求項３】
請求項２において、
前記処理部は、
前記頭部姿勢情報により表される頭部姿勢が第１の頭部姿勢である場合には、前記画像記憶領域に第１の表示領域を設定し、
前記頭部姿勢が第２の頭部姿勢である場合には、前記画像記憶領域に第２の表示領域を設定し、
前記表示部は、
前記第１の表示領域が設定された場合には、前記第１の表示領域の画像を前記表示画像として表示し、
前記第２の表示領域が設定された場合には、前記第２の表示領域の画像を前記表示画像として表示することを特徴とする頭部装着型表示装置。
【請求項４】
請求項３において、
前記処理部は、
取得された前記頭部姿勢情報に基づいて姿勢変化量を求め、前記姿勢変化量が所定の閾値以上であると判断する場合に、前記表示領域を前記第１の表示領域から前記第２の表示領域に移動させることを特徴とする頭部装着型表示装置。
【請求項５】
請求項２乃至４のいずれかにおいて、
前記通信部は、
前記制御モードが前記第２モードに設定された場合には、前記第２モードの処理が開始される前に、前記頭部姿勢情報を前記情報端末に送信し、送信された前記頭部姿勢情報と位置情報とに対応する複数の画像データを、前記情報端末から受信し、
前記表示バッファは、
前記表示レイアウトデータにより設定された前記画像記憶領域に前記複数の画像データを記憶することを特徴とする頭部装着型表示装置。
【請求項６】
請求項２乃至５のいずれかにおいて、
前記通信部は、
前記画像データと前記画像データに関連付けられたコンテンツＩＤとを受信し、
前記表示バッファは、
前記各コンテンツＩＤに関連付けられた前記画像データを、前記コンテンツＩＤに対応する前記画像記憶領域の各領域に記憶することを特徴とする頭部装着型表示装置。
【請求項７】
請求項１乃至６のいずれかにおいて、
前記制御モードが前記第１モードに設定された場合には、
前記通信部は、
カテゴリＩＤと前記画像データとが関連付けられた第１のデータベースの情報を受信し、前記頭部姿勢情報を前記情報端末に送信し、前記頭部姿勢情報に基づいて前記情報端末により特定されたカテゴリＩＤを受信し、
前記処理部は、
前記情報端末により特定された前記カテゴリＩＤに関連付けられた前記画像データを、前記第１のデータベースから特定し、前記画像記憶領域のうち、特定した前記画像データが記憶されている領域を、前記表示領域として設定することを特徴とする頭部装着型表示装置。
【請求項８】
請求項１乃至７のいずれかにおいて、
操作部を有し、
前記処理部は、
前記操作部を介して入力された詳細情報表示要求に基づいて、前記第１モードのループ処理終了要求又は前記第２モードへの遷移要求を前記情報端末へ送信することを特徴とする頭部装着型表示装置。
【請求項９】
頭部装着型表示装置と通信を行う通信部と、
画像データを記憶する記憶部と、
制御モードの設定処理を行う処理部と、
位置情報を検出する位置検出部と、
を含み、
前記記憶部は、
カテゴリＩＤと前記画像データとが関連付けられた第１のデータベースの情報と、
前記頭部装着型表示装置から受信した頭部姿勢情報と、前記位置情報との組み合わせに前記カテゴリＩＤが関連付けられた第２のデータベースの情報と、を記憶し、
前記通信部は、
前記第１のデータベースの情報を前記頭部装着型表示装置に送信し、
前記処理部は、
前記制御モードを第１モードに設定した場合には、前記頭部姿勢情報と前記位置情報との組み合わせに関連付けられた前記カテゴリＩＤを前記第２のデータベースから取得し、
前記通信部は、
取得した前記カテゴリＩＤを前記頭部装着型表示装置に送信することを特徴とする情報端末。
【請求項１０】
請求項９において、
前記通信部は、
前記制御モードが前記第１モードに設定された際に、前記頭部姿勢情報と前記位置情報との組み合わせが前記第２のデータベースに存在しない場合には、前記カテゴリＩＤとしてブランクＩＤを前記頭部装着型表示装置に送信することを特徴とする情報端末。
【請求項１１】
請求項９又は１０において、
前記記憶部は、
前記頭部姿勢情報と前記位置情報との組み合わせに複数の画像データが関連付けられた第３のデータベースを記憶し、
前記処理部は、
前記制御モードが第２モードに設定された場合には、前記第２モードの処理が開始される前に、前記頭部姿勢情報と前記位置情報との組み合わせに関連付けられた前記複数の画像データを、前記第３のデータベースから取得し、
前記通信部は、
取得した前記複数の画像データを前記頭部装着型表示装置に送信することを特徴とする情報端末。
【請求項１２】
請求項９乃至１１のいずれかにおいて、
前記処理部は、
前記頭部装着型表示装置から前記通信部を介して受信されたユーザ入力情報に基づいて、前記第１モードから第２モードに、又は前記第２モードから前記第１モードに、前記制御モードを切り替えることを特徴とする情報端末。
【請求項１３】
頭部装着型表示装置と通信を行う通信部と、
画像データを記憶する記憶部と、
制御モードの設定処理を行う処理部と、
位置情報を検出する位置検出部として、
コンピュータを機能させ、
前記記憶部は、
カテゴリＩＤと前記画像データとが関連付けられた第１のデータベースの情報と、
前記頭部装着型表示装置から受信した頭部姿勢情報と、前記位置情報との組み合わせに前記カテゴリＩＤが関連付けられた第２のデータベースの情報と、を記憶し、
前記通信部は、
前記第１のデータベースの情報を前記頭部装着型表示装置に送信し、
前記処理部は、
前記制御モードを第１モードに設定した場合には、前記頭部姿勢情報と前記位置情報との組み合わせに関連付けられた前記カテゴリＩＤを前記第２のデータベースから取得し、
前記通信部は、
取得した前記カテゴリＩＤを前記頭部装着型表示装置に送信することを特徴とするプログラム。
【請求項１４】
コンピュータ読み取り可能な情報記憶媒体であって、請求項１３に記載のプログラムを記憶したことを特徴とする情報記憶媒体。
【請求項１５】
頭部姿勢情報を取得し、画像データを記憶する画像記憶領域に表示領域を設定し、設定された前記表示領域の画像を表示する頭部装着型表示装置と、
位置情報の検出処理と制御モードの設定処理を行い、前記頭部装着型表示装置と通信を行う情報端末と、
を含み、
前記情報端末は、
カテゴリＩＤと画像データとが関連付けられた第１のデータベースの情報と、前記頭部姿勢情報と前記位置情報との組み合わせに前記カテゴリＩＤが関連付けられた第２のデータベースの情報とを記憶し、前記第１のデータベースの情報を前記頭部装着型表示装置に送信し、
前記情報端末が前記制御モードを第１モードに設定した場合には、
前記頭部装着型表示装置は、
前記頭部姿勢情報を前記情報端末に送信し、
前記情報端末は、
受信した前記頭部姿勢情報と前記位置情報との組み合わせに関連付けられた前記カテゴリＩＤを前記第２のデータベースから取得し、取得した前記カテゴリＩＤを前記頭部装着型表示装置に送信し、
前記頭部装着型表示装置は、
受信した前記カテゴリＩＤに関連付けられた前記画像データを、前記第１のデータベースから特定し、前記画像記憶領域のうち、特定した前記画像データが記憶されている領域を、前記表示領域として設定し、
前記情報端末が前記制御モードを第２モードに設定した場合には、
前記頭部装着型表示装置は、
前記頭部姿勢情報を前記情報端末に送信せず、前記頭部姿勢情報に基づいて、前記画像記憶領域に前記表示領域を設定することを特徴とする画像処理システム。
【請求項１６】
情報端末から画像データを受信し、
受信した前記画像データを表示バッファの画像記憶領域に記憶し、
ユーザの頭部姿勢情報を取得し、
前記表示バッファの前記画像記憶領域に表示領域を設定し、
設定された前記表示領域の画像を表示画像として表示し、
制御モードが第１モードに設定された場合には、前記頭部姿勢情報を前記情報端末に送信し、
前記制御モードが第２モードに設定された場合には、前記第２モードの処理が開始された後は、前記頭部姿勢情報を前記情報端末に送信せず、前記頭部姿勢情報に基づいて、前記表示バッファの前記画像記憶領域に前記表示領域を設定することを特徴とする頭部装着型表示装置の制御方法。
【請求項１７】
頭部装着型表示装置からユーザの頭部姿勢情報を受信し、
前記ユーザの位置情報を検出し、
画像データを記憶するとともに、カテゴリＩＤと前記画像データとが関連付けられた第１のデータベースの情報と、前記頭部姿勢情報と前記位置情報との組み合わせに前記カテゴリＩＤが関連付けられた第２のデータベースの情報と、を記憶し、
前記第１のデータベースの情報を前記頭部装着型表示装置に送信し、
制御モードの設定処理を行い、
前記制御モードを第１モードに設定した場合には、受信した前記頭部姿勢情報と検出した前記位置情報との組み合わせに関連付けられた前記カテゴリＩＤを前記第２のデータベースから取得し、
取得した前記カテゴリＩＤを前記頭部装着型表示装置に送信することを特徴とする情報端末の制御方法。
【手続補正２】
【補正対象書類名】明細書
【補正対象項目名】発明の名称
【補正方法】変更
【補正の内容】
【発明の名称】頭部装着型表示装置、情報端末、プログラム、情報記憶媒体、画像処理システム、頭部装着型表示装置の制御方法及び情報端末の制御方法
【手続補正３】
【補正対象書類名】明細書
【補正対象項目名】０００１
【補正方法】変更
【補正の内容】
【０００１】
本発明は、頭部装着型表示装置、情報端末、プログラム、情報記憶媒体、画像処理システム、頭部装着型表示装置の制御方法及び情報端末の制御方法等に関係する。
【手続補正４】
【補正対象書類名】明細書
【補正対象項目名】００３５
【補正方法】変更
【補正の内容】
【００３５】
また、本発明の他の態様では、頭部姿勢情報を取得し、画像データを記憶する画像記憶領域に表示領域を設定し、設定された前記表示領域の画像を表示する頭部装着型表示装置と、位置情報の検出処理と制御モードの設定処理を行い、前記頭部装着型表示装置と通信を行う情報端末と、を含み、前記情報端末は、カテゴリＩＤと画像データとが関連付けられた第１のデータベースの情報と、前記頭部姿勢情報と前記位置情報との組み合わせに前記カテゴリＩＤが関連付けられた第２のデータベースの情報とを記憶し、前記第１のデータベースの情報を前記頭部装着型表示装置に送信し、前記情報端末が前記制御モードを第１モードに設定した場合には、前記頭部装着型表示装置は、前記頭部姿勢情報を前記情報端末に送信し、前記情報端末は、受信した前記頭部姿勢情報と前記位置情報との組み合わせに関連付けられた前記カテゴリＩＤを前記第２のデータベースから取得し、取得した前記カテゴリＩＤを前記頭部装着型表示装置に送信し、前記頭部装着型表示装置は、受信した前記カテゴリＩＤに関連付けられた前記画像データを、前記第１のデータベースから特定し、前記画像記憶領域のうち、特定した前記画像データが記憶されている領域を、前記表示領域として設定し、前記情報端末が前記制御モードを第２モードに設定した場合には、前記頭部装着型表示装置は、前記頭部姿勢情報を前記情報端末に送信せず、前記頭部姿勢情報に基づいて、前記画像記憶領域に前記表示領域を設定する画像処理システムに関係する。
【手続補正５】
【補正対象書類名】明細書
【補正対象項目名】００５５
【補正方法】変更
【補正の内容】
【００５５】
本実施形態のＨＭＤ及び画像処理システムは、図１（Ｂ）の構成に限定されず、これらの一部の構成要素を省略したり、他の構成要素を追加したりするなどの種々の変形実施が可能である。なお、本実施形態の画像処理システムの一部の機能は、情報端末２００により実現されるが、例えば情報端末２００とは異なる電子機器により実現してもよい。例えば、本実施形態の画像処理システムの一部の機能は、情報端末２００もしくはＨＭＤ１００と通信により接続されたサーバにより実現されてもよい。
【手続補正６】
【補正対象書類名】明細書
【補正対象項目名】００８５
【補正方法】変更
【補正の内容】
【００８５】
例えば、前述した例において、ＨＭＤの処理部がカテゴリＩＤ＝０を受信した場合には、図１０（Ａ）に示す第１のデータベースＤＢ１の中からカテゴリＩＤ＝０のデータ（レコード）を検索し、検索したデータから「郵便局」を表すアイコンファイルを特定する。そして、図４（Ｃ）に示す画像記憶領域ＩＢのうち、特定したアイコンファイルが記憶されている領域を表示領域に設定し、図４（Ｂ）に示すように表示部にアイコン画像ＩＩＭを表示する。